(57)【要約】    【課題】  作業者がフォークリフト車輛の運転席から降りることなく、ボックスパレットを吊り上げることができるようにしたパレット用吊り機を提供する。    【解決手段】  ボックスパレット(40)の底部両側に起立して取付けられ、上端に吊りフック(22)の引っ掛け部が形成された取っ手(11)と、ハウジング(21)にはフォーク受け(26)又はフック・チェーン受け(29)が形成され、ハウジング両側には吊りフックが取付け軸(22A)回りに揺動自在に取付けられ、左右の吊りフックには吊りフックを揺動させるリンク機構(23,24) と回転によってリンク機構を作動させるカム軸(25)とが設けられ、吊りフックがその揺動によって取っ手の引っ掛け部に引っ掛かり可能となる一方、揺動復帰によってその引っ掛かりが外れ得るようになる吊り機本体(20)と、吊り機本体のカム軸に連結され、カム軸を回転操作するための操作具(30)と、を備える。【選択図】  図９
2010149925.tif 000002
【特許請求の範囲】
【請求項１】
フォークリフト車輛のフォークによってパレット又はボックスパレットを吊り上げるのに用いるパレット用吊り機において、
上記パレット又はボックスパレット(40)の底部両側に起立して固定され、上端に吊りフック(23)の引っ掛け部が形成された取っ手(10)と、
ハウジング(21)にはフォークリフト車輛(50)のフォーク(51)を差し込み可能なフォーク受け(26)が形成されるか又は巻上げ機のフック又はチェーンが引っ掛けられるフック・チェーン受け(29)が形成され、上記ハウジング(21)両側には吊りフック(22)が取付け軸(22A)の回りに揺動自在に取付けられ、該左右の吊りフック(22)には該吊りフック(22)を揺動させるリンク機構(23,24) と回転によってリンク機構(23,24)を作動させるカム軸(25)とが設けられ、上記吊りフック(22)がその揺動によって上記取っ手(10)の引っ掛け部に引っ掛かり可能となる一方、揺動復帰によってその引っ掛かりが外れ得るようになる吊り機本体(20)と、
該吊り機本体(20)のカム軸(25)に連結され、上記カム軸(25)を回転操作するための操作具(30)と、
を備えたことを特徴とするパレット用吊り機。
【請求項２】
上記操作具(30)は、先端が上記吊り機本体(20)のカム軸(25)に連結されるフレキシブルシャフト(31)と、該フレキシブルシャフト(31)の他端に連結され、捩じり操作によって上記カム軸(25)を回転させるグリップ(33)とから構成されている請求項１記載のパレット用吊り機。
【請求項３】
上記パレット又はボックスパレット(40)の底面両側部にはアングル(12)が取付けられ、該アングル(12)には上記取っ手本体の下端が固定されることにより、上記パレット又はボックスパレット(40)が底部から吊り上げられるようになっている請求項１記載のパレット用吊り機。
【請求項４】
上記取っ手(10)は三角形の両斜辺状、矩形状又はＡ字状をなす取っ手本体を有し、上記パレット又はボックスパレット(40)の底面両側部にはアングル(12)が取付けられ、該アングル(12)には上記取っ手本体の両下端が固定されることにより、上記パレット又はボックスパレット(40)が底部から吊り上げられるようになっている請求項１記載のパレット用吊り機。
【請求項５】
上記吊りフック(22)の本体部分が略Ｊ字状をなし、該本体部分の基部近傍には上記リンク機構のリンク(23)外端が連結される操作杆(22C)が形成されている請求項１記載のパレット用吊り機。
【請求項６】
フォークリフト車輛(50)のフォーク(51)又は巻上げ機によってパレット又はボックスパレット(40)を吊り上げるためのパレット用吊り機に用いられる取っ手(10)であって、
パレット又はボックスパレット(10)の底面両側部に取付けられるアングル(12)と、下端が上記アングル(12)に固定され、三角形の両斜辺状、矩形状又はＡ字状をなし、上端部にパレット用吊り機の吊りフック(20)が引っ掛かる引っ掛け部が形成された取っ手本体と、を備えたことを特徴とするパレット用吊り機に用いる取っ手。
【請求項７】
フォークリフト車輛(50)のフォーク(51)又は巻上げ機とパレット用吊り機とによって吊り上げられるボックスパレット(40)であって、
上面が開放されたボックス状に製作され、底面両側部にアングル(12)が取付けられ、該アングル(12)に取っ手本体が起立して固定され、該取っ手本体が三角形の両斜辺状、矩形状又はＡ字状をなしており、
上記取っ手本体とアングル(12)とによって構成される取っ手(10)によって底部から吊り上げられるようになっていることを特徴とするボックスパレット。
【請求項８】
フォークリフト車輛のフォーク又は巻上げ機とパレット用吊り機とによって吊り上げられるパレットであって、
平板状に製作され、底面両側部にアングルが取付けられ、該アングルに取っ手本体が起立して固定され、該取っ手本体が三角形の両斜辺状、矩形状又はＡ字状をなしており、
上記取っ手本体とアングルとによって構成される取っ手によって底部から吊り上げられるようになっていることを特徴とするパレット。
【請求項９】
ハウジング(21)にはフォークリフト車輛(50)のフォーク(51)を差し込み可能なフォーク受け(26)が形成されるか又は巻上げ機のフック又はチェーンが引っ掛けられるフック・チェーン受け(29)が形成され、上記ハウジング(21)両側には吊りフック(22)が取付け軸(22A)の回りに揺動自在に取付けられ、該左右の吊りフック(22)には該吊りフック(22)を揺動させるリンク機構(23,24) と回転によってリンク機構(23,24)を作動させるカム軸(25)とが設けられ、上記吊りフック(22)がその揺動によって上記取っ手(10)の引っ掛け部に引っ掛かり可能となる一方、揺動復帰によってその引っ掛かりが外れ得るようになっていることを特徴とする吊り機。
【請求項１０】
ハウジング(21)にはフォークリフト車輛(50)のフォーク(51)を差し込み可能なフォーク受け(26)が形成されるか又は巻上げ機のフック又はチェーンが引っ掛けられるフック・チェーン受け(29)が形成れ、上記ハウジング(21)両側には吊りフック(22)が取付け軸(22A)の回りに揺動自在に取付けられ、該左右の吊りフック(22)の取付け軸(22A)にはその付勢力によって吊りフック(22)の揺動を制動するばね部材(22J)が設けられており、上記吊りフック(22)はばね部材(22J)の付勢力によって上記取っ手(10)の引っ掛け部に引っ掛けられた姿勢及び引っ掛かりが外された姿勢に制動保持されるようになっていることを特徴とする吊り機。
【発明の詳細な説明】
【技術分野】
【０００１】
本発明はパレット用吊り機に関し、特に作業者がフォークリフト車輛の運転席から降りることなく、パレット又はボックスパレットを吊り上げることができるようにしたパレット用吊り機に関する。
【背景技術】
【０００２】
梅の実は収穫された大部分が梅干や梅酒に加工されるが、最近、梅の実に寄生する「アカマダラケシキスイ」「ウスモンヒメシラタケシキスイ」などの害虫が大きな問題となっている。
【０００３】
この「ケシキスイ」は熟した梅の実の表皮の傷んだ部分から侵入し、実を食い荒らすという被害を引き起こすが、「ケシキスイ」の侵入した梅の実をそのまま梅干や梅酒に加工するのは商品として問題である。
【０００４】
そこで、「ケシキスイ」の対策として、収穫した梅の実を３０分程度水に漬け、「ケシキスイ」を駆除することが食品の安全上、義務化されている。
【０００５】
従来、収穫した梅の実の汚れを洗浄する装置が提案されている（特許文献１）。この洗浄装置は、ローラコンベアによって梅の実を金網製の載置プレート上に移送し、載置プレートをタンクの水中で上下に揺らして汚れを洗浄するというものであり、「ケシキスイ」の対策として大量の梅の実を３０分も浸漬しようとすると、非常に大きな容積のタンクを必要とし、大型かつコスト高になってしまい、梅農家に設置するのは実際には不可能である。
【０００６】
これに対し、矩形フレーム状をなし、梅の実の収穫を用いた複数の籠を底面に積み重ね、上面の角パイプにフォークリフト車輛のフォークを差し込み、梅林や梅農家に設置したタンク内の水に浸漬して「ケシキスイ」を駆除した後、吊り上げて加工場まで運搬できるようにしたパレットが提案されている（特許文献２）。
【０００７】
しかし、収穫籠を積み込みあるいは取り出す時にフレームが邪魔になって収穫籠をパレットに積み込みあるいは取り出すのが非常に煩雑であった。
【０００８】
最近、梅農家においても作業の省力化がすすめられ、金網で製作されたボックスパレットを用い、収穫した大量の梅の実をボックスパレットに入れたままで洗浄し、フォークリフト車輛で運搬することが行われるようになってきた（特許文献３）。
【先行技術文献】
【特許文献】
【０００９】
【特許文献１】特開平１１−１５３号公報。
【特許文献２】実用新案登録第３１３９１８１号公報
【特許文献３】実開平０６−７１４２５号公報
【発明の概要】
【発明が解決しようとする課題】
【００１０】
しかし、特許文献３記載のボックスパレットでは底部にフォークリフト車輛のフォークを差し込むことのできる差込み穴が形成されているものの、フォークリフト車輛で吊り上げて水中に浸漬しようとすると、ワイヤーロープなどを手作業でボックスパレットに引っ掛けあるいは挿通し、フォークリフト車輛のフォークにワイヤーロープを掛けてボックスパレットを吊り上げなければならず、作業者がその都度フォークリフト車輛の運転席から降りる必要があって負担が大きい。
【００１１】
本発明はかかる問題に鑑み、作業者がフォークリフト車輛の運転席から降りることなく、ボックスパレットを吊り上げることができるようにしたパレット用吊り機を提供することを課題とする。
【課題を解決するための手段】
【００１２】
そこで、本発明に係るパレット用吊り機は、フォークリフト車輛のフォークによってパレット又はボックスパレットを吊り上げるのに用いるパレット用吊り機において、上記パレット又はボックスパレットの底部両側に起立して固定され、上端に吊りフックの引っ掛け部が形成された取っ手と、ハウジングにはフォークリフト車輛のフォークを差し込み可能なフォーク受けが形成されるか又は巻上げ機のフック又はチェーンが引っ掛けられるフック・チェーン受けが形成され、上記ハウジング両側には吊りフックが取付け軸の回りに揺動自在に取付けられ、該左右の吊りフックには該吊りフックを揺動させるリンク機構と回転によってリンク機構を作動させるカム軸とが設けられ、上記吊りフックがその揺動によって上記取っ手の引っ掛け部に引っ掛かり可能となる一方、揺動復帰によってその引っ掛かりが外れ得るようになる吊り機本体と、該吊り機本体のカム軸に連結され、上記カム軸を回転操作するための操作具と、を備えたことを特徴とする。
【００１３】
本発明の特徴の１つは吊り機本体の両側に吊りフックを設け、吊り機本体をフォークリフト車輛のフォークに取付け又は巻上げ機のフック又はチェーンを引っ掛け、パレット又はボックスパレットの上方に移動させ、操作具を操作すると、吊りフックが揺動して取っ手の引っ掛け部に引っ掛かり又は自然と引っ掛かる状態となり、逆の操作をすると、その引っ掛かりが外れるか又ははずれ得る状態となるようにした点にある。
【００１４】
これにより、吊りフックを揺動させると、取っ手の引っ掛け部に引っ掛かり、あるいは自然と引っ掛かる状態となるので、吊り機本体を降下させると、吊りフックが取っ手の引っ掛け部を一旦逃げた後、取っ手の引っ掛け部に引っ掛かる。また、吊りフックを少し降下させた後、吊りフックを揺動復帰させると、吊りフックが取っ手の引っ掛け部から外れる。
【００１５】
その結果、作業者が例えばフォークリフト車輛の運転席から降りることなく、パレット又はボックスパレットを吊り上げる状態にでき、パレット又はボックスパレットをフォークから取り外すことができるので、作業者の負担を大幅に少なくできる。
【００１６】
また、簡単な構造の取っ手、吊り機本体及び操作具によってパレット用吊り機を構成できるので、コスト高を招来することはなく、梅農家も負担になることなく購入でき、「ケシキスイ」の対策を確実に行うことができる。
【００１７】
上記の例では梅林や梅農家でフォークリフト車輛を用いて「ケシキスイ」の対策を行う場合に用いる吊り機であったが、加工工場で「ケシキスイ」の対策を行う場合、フォークリフト車輛よりも巻上げ機、例えばホイストを用いて「ケシキスイ」の対策を行うことが多いので、ハウジングに巻上げ機のフック又はチェーンが引っ掛けられるフック・チェーン受けを形成するようにしている。
【００１８】
市販のボックスパレットは金網で製作されているが、パンチングメタル、その他格子状のフレームで製作されることもできる。また、梅の実を水に浸漬して害虫を駆除するのに用いる関係上、本発明は金網やパンチングメタルその他格子状のフレームで製作されたパレットにも同様に適用できる。
【００１９】
また、ボックスパレットの側面に取っ手を取付けて吊り上げるようにすると、ボックスパレットが荷物の重さに耐えきれずに壊れるおそれがある。そこで、ボックスパレットの底面両側部にアングルを（ボルト・ナット等によって取付け取外し可能に）取付け、このアングルに取っ手の下端を（溶接等によって）固定することによってボックスパレットを底部から吊り上げるようにするのがよい。この構造はパレットにも適用できる。
【００２０】
取っ手の形状は特に限定されないが、パレット又はボックスパレットを安定に吊れるように、三角形の両斜辺状、矩形状、Ａ字状に形成するのがよい。この場合、取っ手本体の両下端をアングルに取付けるのがよい。
【００２１】
操作具はカム軸を回転操作できればよく、例えば先端が吊り機本体のカム軸に連結されるフレキシブルシャフトと、フレキシブルシャフトの他端に連結され、捩じり操作によってカム軸を回転させるグリップとから構成されることができる。
【００２２】
また、カム軸にレバーを取付け、ロープの先端をレバーに連結し、ロープの後端を引っ張ることによってレバーを揺動させ、カム軸を回転操作することもできる。さらに、カム軸にレバーやグリップを連結し、レバーやグリップを手で操作してカム軸を回転させることもできる。これは巻上げ機によってパレットやボックスパレットを吊り上げるときに効果が大きい。
【００２３】
吊りフックを揺動させて取っ手の引っ掛け部に引っ掛けるようにするためには吊りフックの形状が大切である。例えば、吊りフックのフック部分が大きく湾曲され、吊りフックの基部（回転軸の取付け部分）とフック先端との間の間隔が狭いと、吊りフックが取っ手の引っ掛け部に引っ掛け難い。そこで、吊りフックはその本体部分を略Ｊ字状となすのがよい。また、左右の吊りフックの間隔は左右の取っ手の間隔に等しい間隔とする必要がある。
【００２４】
また、上述の取っ手、取っ手を備えたパレット及びボックスパレットも斬新である。
すなわち、本発明に係るパレット用吊り機に用いる取っ手は、フォークリフト車輛のフォーク又は巻上げ機によってパレット又はボックスパレットを吊り上げるためのパレット用吊り機に用いられる取っ手であって、パレット又はボックスパレットの底面両側部に取付けられるアングルと、下端が上記アングルに固定され、三角形の両斜辺状、矩形状又はＡ字状をなし、上端部にパレット用吊り機の吊りフックが引っ掛かる引っ掛け部が形成された取っ手本体と、を備えたことを特徴とする。
【００２５】
本発明に係るボックスパレットは、フォークリフト車輛のフォーク又は巻上げ機とパレット用吊り機とによって吊り上げられるボックスパレットであって、金網によって上面が開放されたボックス状に製作され、底面両側部にアングルが取付けられ、該アングルに取っ手本体が起立して固定され、該取っ手本体が三角形の両斜辺状、矩形状又はＡ字状をなしており、上記取っ手本体とアングルとによって構成される取っ手によって底部から吊り上げられるようになっていることを特徴とする。
【００２６】
また、本発明に係るパレットは、フォークリフト車輛のフォーク又は巻上げ機とパレット用吊り機とによって吊り上げられるパレットであって、金網によって平板状に製作され、底面両側部にアングルが取付けられ、該アングルに取っ手本体が起立して固定され、該取っ手本体が三角形の両斜辺状、矩形状又はＡ字状をなしており、上記取っ手本体とアングルとによって構成される取っ手によって底部から吊り上げられるようになっていることを特徴とする。
【００２７】
さらに、上述の吊り機本体（吊り機）も新規かつ斬新である。すなわち、本発明に係る吊り機は、ハウジングにはフォークリフト車輛のフォークを差し込み可能なフォーク受けが形成されるか又は巻上げ機のフック又はチェーンが引っ掛けられるフック・チェーン受けが形成され、上記ハウジング両側には吊りフックが取付け軸の回りに揺動自在に取付けられ、該左右の吊りフックには該吊りフックを揺動させるリンク機構と回転によってリンク機構を作動させるカム軸とが設けられ、上記吊りフックがその揺動によって上記取っ手の引っ掛け部に引っ掛かり可能となる一方、揺動復帰によってその引っ掛かりが外れ得るようになっていることを特徴とする。
【００２８】
また、本発明に係る吊り機は、ハウジングにはフォークリフト車輛のフォークを差し込み可能なフォーク受けが形成されるか又は巻上げ機のフック又はチェーンが引っ掛けられるフック・チェーン受けが形成され、上記ハウジング両側には吊りフックが取付け軸の回りに揺動自在に取付けられ、該左右の吊りフックの取付け軸にはその付勢力によって吊りフックの揺動を制動するばね部材が設けられており、上記吊りフックはばね部材の付勢力によって上記取っ手の引っ掛け部に引っ掛けられた姿勢及び引っ掛かりが外された姿勢に制動保持されるようになっていることを特徴とする。
【図面の簡単な説明】
【００２９】
【図１】本発明に係るパレット吊り機の好ましい実施形態における取っ手の１例を示す斜視図である。
【図２】上記取っ手の取付け方法を説明するための図である。
【図３】ボックスパレットに対する上記取っ手を取付けた状態を示す図である。
【図４】図３の拡大図である。
【図５】パレットに対する上記取っ手を取付けた状態を示す図である。
【図６】上記実施形態における吊り機本体の平面及び側面を示す図である。
【図７】上記実施形態における吊り機本体の要部及び操作具を示す図である。
【図８】上記吊り機本体における吊りフックを示す図である。
【図９】ボックスパレットの吊り作業における吊りフックの引っ掛け前の状態を示す図である。
【図１０】吊りフックを引っ掛けた状態を示す図である。
【図１１】第２の実施形態における吊り機本体の平面及び側面を示す図である。
【図１２】第３の実施形態における吊り機本体を示す正面図である。
【図１３】上記実施形態における吊り機本体のホルダー機構を示す概略斜視図である。
【図１４】上記実施形態においてホルダー機構によって吊り機本体をフォークにセットした状態を示す正面図である。
【図１５】上記実施形態における上記実施形態においてホルダー機構によって吊り機本体をフォークにセットした状態を示す側面図である。
【図１６】上記実施形態の変形例を示す図である。
【図１７】第４の実施形態における吊り機本体を示す斜視図である。
【図１８】上記実施形態の正面(a)及び側面(b)の構成を示す図である。
【発明を実施するための形態】
【００３０】
以下、本発明を図面に示す具体例に基づいて詳細に説明する。図１ないし図１０は本発明に係るパレット用吊り機の好ましい実施形態を示す。図において、パレット用吊り機は取っ手１０、吊り機本体２０及び操作具３０から構成され、取っ手１０は三角形の２つの斜辺状の取っ手本体１１を有し、取っ手本体１１の上端中央は吊りフック２２が引っ掛かる引っ掛け部となっている。
【００３１】
この取っ手本体１１の両下端部は直角に折り曲げられ、パイプ状のスペーサ（補強部材を兼用）１６が外装されるとともにＬ形アングル１２の貫通穴に挿通されて溶接によって固定されている。このＬ形アングル１２はボックスパレット４０の底面両側部に沿って配置され、ボックスパレット４０の内面底部両側には帯状プレート１３が配置され、ボルト１５とナット１４とによってＬ形アングル１２に取付けられており、これにより取っ手本体１１はボックスパレット４０の底部両側に起立して取付けられている。なお、十分な強度があれば、補強部材を兼用するスペーサ１６は必ずしも設ける必要はない。
【００３２】
ボックスパレット４０は図３及び図４に示されるように、金網を用いて四角形ボックス状に製作され、上面は開放され、前面の上半部は図示していないが、前方に傾倒可能に構成され、又底部四隅には脚４１が形成されている。他方、パレット６０は図５に示されるように、ボックスパレット４０の底面部分からなる構造となっている。
【００３３】
吊り機本体２０は２本の断面コ字状のフレーム２１Ａを背中合わせにかつ相互に間隔をあけて配置してなるハウジング２１を有し、ハウジング２１の両側部には吊りフック２２が取付けボルト（取付け軸）２２Ａの回りに揺動自在に取付けられている。この吊りフック２２は本体部分が側面ほぼＪ字状をなし、基部２２Ｄには取付け穴部が形成され、取付け穴部にはフレーム２１Ａを挿通した取付けボルト２２Ａが回転自在に挿通され、さらにフレーム２１Ａを挿通してナットによって抜止めされている。
【００３４】
吊りフック２２の基部２２Ｄ近傍には操作杆２２Ｃが形成され、操作杆２２Ｃにはリンク２３の外端が連結され、リンク２３はハウジング２１の内方に延び、その内端は第２のリンク２４によって相互に連結され、第２のリンク２４の中央にはカム軸２５が取付けられ、カム軸２５はハウジング２１に回転可能に支持されている。なお、リンク２３はターンバックルなどを介在させて長さを調整できるように構成してもよい。また、吊りフック２２にはばね部材を設けて開方向又は閉方向に回動付勢するようにしてもよい。
【００３５】
また、ハウジング２１の上面にはコ字状のフォーク受け２６が固定され、フォーク受け２６にはフォークリフト車輛５０のフォーク５１が差し込まれ、止めねじによって固定できるようになっている。さらに、ハウジング２１にはチェーン２８が取付けられ、チェーン２８はフォークリフト車輛５０に引っ掛けてボックスパレット４０又はパレット６０がフォーク５１から外れるのを防止するようになっている。
【００３６】
操作具３０はフレキシブルシャフト３１を有し、フレキシブルシャフト３１の先端には吊り機本体２０のカム軸２５に着脱可能に連結されるカム軸受３２が固定され、フレキシブルシャフト３１の後端にはグリップ３３が連結され、グリップ３３を捩じり操作することによってカム軸２５を回転できるようになっている。
【００３７】
梅の実の害虫「ケシキスイ」を駆除する場合、収穫してきた梅の実をボックスパレット４０に入れる一方、梅林又は梅農家に設置したタンク内に注水して水を溜める。
【００３８】
他方で、フォークリフト車輛５０のフォーク５１を吊り機本体２０のフォーク受け２６に差し込み、止めねじによって固定するとともに、チェーン２８をフォークリフト車輛５０の構造部分に引っ掛けて吊り機本体２０の不意の外れを防止する。
【００３９】
ボックスパレット４０内に所定量の梅の実が入ると、吊り機本体２０をフォーク５１によってボックスパレット４０の高さまで上昇させるとともに、フォークリフト車輛５０を走行させ、吊り機本体２０を下降させてボックスパレット４０の直上方まで移動させる。
【００４０】
こうして準備が済むと、図９に示されるように、運転席の作業者が操作具３０のグリップ３３を握って捩じる。すると、吊り機本体２０のリンク２３が操作杆２２Ｃを引っ張って吊りフック２２を揺動させ、図１０に示されるように、吊りフック２２は取っ手１０の引っ掛け部に自然と引っ掛かり、ボックスパレット４０を吊り上げることができる。
【００４１】
また、グリップ３３を握って捩じると、吊り機本体２０の吊りフック２２が取っ手１０の引っ掛け部に引っ掛かる状態となる。そこで、吊り機本体２０をボックスパレット４０の上方で下降させ、吊りフック２２が取っ手１１に当たると、吊りフック２２が外方に逃げ、そのまま降下すると、吊りフック２２が元に戻って取っ手１１の引っ掛け部に引っ掛かる状態となるので、フォーク５１を上昇させると吊りフック２２が取っ手１１にしっかりと引っ掛かる。
【００４２】
そこで、ボックスパレット４０をタンク内の水に３０分ほど浸漬すると、梅の実の害虫「ケシキスイ」を駆除することができるので、フォーク５１を上昇させ、加工工場まで運搬した後、吊り機本体２０を少し降下させ、操作具３０のグリップ３３を逆に捩じると、吊りフック２２が揺動復帰して取っ手１０から外れる状態となるので、後は吊り機本体２０を上昇させてボックスパレット４０から外すことができる。
【００４３】
また、取っ手１０をボックスパレット４０の両側に起立して設けているので、ボックスパレット４０の前面上半部の傾倒動作を阻害しないので、その箇所から梅の実を積み込み取り出すことができる。
【００４４】
パレット６０を用いる場合、パレット６０上に梅の実を収穫した籠を積み重ねるが、パレット６０の側面に取っ手１１があるだけであるので、パレット６０の前後から籠を容易に積み込み取り出すことができるので、作業者の負担は少ない。
【００４５】
さらに、ボックスパレット４０やパレット６０では脚４１があるので、底面下側にフォークリフト車輛５０のフォーク５１を差し込み、ボックスパレット４０やパレット６０を持ち上げて運搬することができる。その結果、ボックスパレット４０を多段に積み重ねてフォークリフト車輛５０で運搬することができる。
【００４６】
図１１は第２の実施形態を示し、図において図１ないし図１０と同一符号は同一又は相当分を示す。本例ではフォーク受け２６に代え、吊り機本体２０のフレーム２１上面に巻上げ機、例えばホイストに取付けられたチェーンのフックを引っ掛け又はチェーンを挿通し得るフック受け２９を固定している。
【００４７】
本例のパレット吊り機は加工工場においてホイストなどを用いて梅の実の害虫「ケシキスイ」を駆除する際に有効に利用できる。
【００４８】
図１２ないし図１５は第３の実施形態を示し、図において図１ないし図１１と同一符号は同一又は相当分を示す。本例では吊り機本体２０のハウジング２１の一側部にカム軸２５が回転可能に支持され、カム軸２５には第２のリンク２４の中央が取付けられ、第２のリンク２４の両端部にはリンク２３の内端が連結され、リンク２３の外端は吊りフック２２の操作杆２２Ｃに連結されている。
【００４９】
また、ハウジング２１の上面のコ字状のフォーク受け２６にはフォーク５１の止めねじ８０が螺進退可能に取付けられ、またフォーク受け２６の両側部には取付け板７２が溶接などによって固定され、取付け板７２の挿通穴にはロッド７１の先端部が挿通されてナットによって抜止めされている。このとき、ロッド７１の先端部に筒状のスペーサ７６を介在させると、スペーサ７６を置き換えることによって吊り機本体２０の位置を調整することができる。
【００５０】
ロッド７１の後端部には係止ロッド７２が溶接又はナットの締付けなどによって固定され、係止ロッド７２にはスペーサ７５を介して係止ロッド７４がナットによって固定され、一対の係止ロッド７３、７４の間にフォーク５１の折曲部直上部分を挟み込んでロッド７１がフォーク５１に固定されるようになっており、こうして吊り機本体２０のホルダー機構７０が構成されている。
【００５１】
以上のように、第１の実施形態におけるチェーン２８に代え、ホルダー機構７０によって吊り機本体２０をフォーク５１に係止し保持するようにすることもでき、この場合にはフォーク５１の傾き、フォーク車輛５０の急発進、急ブレーキ、荷揺れなどがあっても吊り機本体２０が滑り動くことがなく、安全性を確保できる。
【００５２】
図１６は第３の実施形態の変形例を示し、図において図１２ないし図１５と同一符号は同一又は相当部分を示す。本例では第２のリンク２４の近傍に規制ねじ８１を設け、回動する第２のリンク２４と当接させて吊りフック２２の開放及び／又は閉鎖の範囲を規制するようにしている。
【００５３】
図１７及び図１８は第４の実施形態を示し、図において図１ないし図１６と同一符号は同一又は相当部分を示す。本例ではハウジング２１の両側部には吊りフック２２の基部２２Ｄが取付けボルト（取付け軸）２２Ａの回りに揺動可能に取付けられている。この吊りフック２２の基部２２Ｄには取付け穴部が形成され、基部２２Ｄの取付け穴部、スペーサ２２Ｋ、コイルばね（ばね部材）２２Ｊ、スペーサ２２Ｈにはフレーム２１Ａを挿通した取付けボルト２２Ａが回転自在に挿通され、さらにフレーム２１Ａを挿通してナット２２Ｇによって抜止めされており、吊りフック２２はコイルばね２２Ｊによってスペーサ２２Ｋに押圧付勢されて揺動角度を保持されるようになっている。
【００５４】
また、フレーム２１の外端部にはＣ形チャネル７９が溶接等によって固定され、吊りフック２２の大きすぎる揺動を規制するようになっている。
【００５５】
本例では作業者が手で吊りフック２２を揺動させると、コイルばね２２Ｊの付勢力によって揺動角度を保持されるので、吊りフック２２を揺動させて取っ手１０に引っ掛けると、その姿勢を保持でき、又吊りフック２２を揺動復帰させて取っ手１０から外すと、その姿勢を保持できる。
【００５６】
本例の吊り機本体（吊り機）はボックスパレット４０やパレット６０の吊り上げに限定されず、他の用途、例えば通常の吊り上げ作業に適用することもできる。
【００５７】
本例では上記の例におけるリンク機構は設けられていないが、リンク機構を設け、一方の吊りフック２２を揺動又は揺動復帰させると、他方の吊りフック２２が同期して揺動又は揺動復帰させる構成とすることもできる。
【産業上の利用可能性】
【００５８】
本発明に係るパレット用吊り機は梅の実をボックスパレットに入れ、梅の実を収穫した籠をパレットに搭載して水中に浸漬する害虫駆除に適用できるが、ボックスパレットやパレットを用いた一般の輸送や運搬に適用することもでき、実用性は大きい。
【符号の説明】
【００５９】
１０      取っ手
１１      斜辺部分
１１Ａ    引っ掛け部
２０      吊り機本体
２１      ハウジング
２２      吊りフック
２２Ａ    取付けボルト（取付け軸）
２２Ｃ    操作杆
２２Ｊ    コイルばね（ばね部材）
２３      リンク
２４      第２のリンク
２５      カム軸
２６      フォーク受け
２９      フック受け
３０      操作具
３１      フレキシブルシャフト
３２      カム軸受
３３      グリップ
４０      ボックスパレット
５０      フォークリフト車輛
５１      フォーク
【図１】
2010149925.tif 000003
【図２】
2010149925.tif 000004
【図３】
2010149925.tif 000005
【図４】
2010149925.tif 000006
【図５】
2010149925.tif 000007
【図６】
2010149925.tif 000008
【図７】
2010149925.tif 000009
【図８】
2010149925.tif 000010
【図９】
2010149925.tif 000011
【図１０】
2010149925.tif 000012
【図１１】
2010149925.tif 000013
【図１２】
2010149925.tif 000014
【図１３】
2010149925.tif 000015
【図１４】
2010149925.tif 000016
【図１５】
2010149925.tif 000017
【図１６】
2010149925.tif 000018
【図１７】
2010149925.tif 000019
【図１８】
2010149925.tif 000020